(57)【特許請求の範囲】
【請求項１】
伝送路（Ｌ）で接続され映像、音声、制御信号等のデータを送受するモニタ付親機（１０）及びカメラ付子機（２０）を備え、
前記モニタ付親機は、
前記モニタ付親機の電源がＯＮしたことを検出するモニタ付親機電源起動検出回路（１０１）と、
前記モニタ付親機電源起動検出回路で電源がＯＮしたことを検出したとき擬似ランダムパターン信号を発生するための擬似ランダムパターン発生回路（１０２）と、
前記擬似ランダムパターン信号を前記伝送路に伝送させるＣＰＵ（１０３）とを備え、
前記カメラ付子機は、
前記カメラ付子機の電源がＯＮしたことを検出するカメラ付子機電源起動検出回路（２０１）と、
前記カメラ付子機電源起動検出回路で電源がＯＮしたことを検出したとき前記擬似ランダムパターン信号を受信して前記伝送路上で誤ったビットをカウントするビットエラーカウンタ（２０５）と、
前記ビットエラーカウンタによってカウントされたビットの誤り率に応じて前記伝送路の伝送速度を可変制御するＣＰＵ（２０２）と、
前記カメラ付子機の前記ＣＰＵの制御により前記伝送路の伝送速度を可変する伝送速度可変回路（２０３）と、
受信した前記擬似ランダムパターン信号を前記モニタ付親機にループバックするループバック回路（２０４）とを備え、
さらに、前記モニタ付親機は、
前記カメラ付子機からループバックされてきた前記擬似ランダムパターン信号により前記伝送路上で誤ったビットをカウントするビットエラーカウンタ（１０５）と、
前記モニタ付親機の前記ビットエラーカウンタによってカウントされたビットの誤り率に応じて前記伝送路の伝送速度を可変制御する前記モニタ付親機の前記ＣＰＵの制御により、前記伝送路の伝送速度を可変する伝送速度可変回路（１０４）とを設けることを特徴とするテレビドアホン装置。
【請求項２】
前記モニタ付親機及び前記カメラ付子機はそれぞれ、送信データが前記伝送路上で減衰される高周波成分を補償するプリエンファシス回路（１０６、２０６）を設けることを特徴とする請求項１記載のテレビドアホン装置。
【請求項３】
前記モニタ付親機及び前記カメラ付子機はそれぞれ、受信データが前記伝送路上で減衰される高周波成分を補償する等化器（１０７、２０７）を設けることを特徴とする請求項１記載のテレビドアホン装置。
【請求項４】
前記カメラ付子機に、受信したデータのジッタを計測するジッタ計測回路（２０８）を設け、前記受信データのジッタ量に応じて前記ＣＰＵは、前記伝送速度可変回路、前記プリエンファシス回路及び（又は）前記等化器の送信レベルを制御することを特徴とする請求項１乃至請求項３何れか１項記載のテレビドアホン装置。
【請求項５】
前記カメラ付子機に、受信データの強度を測定するキャリアセンス回路（２０９）、及び前記キャリアセンス回路の測定結果に応じて前記カメラ付子機の前記ＣＰＵの制御により送信データの強弱を可変するとともに、前記キャリアセンス回路の測定結果を前記モニタ付親機に通知するトランシーバ（２１１）を設け、
前記モニタ付親機に、通知された前記キャリアセンス回路の測定結果に応じて前記モニタ付親機の前記ＣＰＵの制御により送信データの強弱を可変するトランシーバ（１０８）を設けることを特徴とする請求項１記載のテレビドアホン装置。
【請求項６】
前記モニタ付親機及び前記カメラ付子機はそれぞれ、前記伝送路のミスマッチによる反射して戻ってきた信号と送信した信号を比較するＶＳＷＲ測定回路（１１３、２１７）と、前記ＶＳＷＲ測定回路での比較結果に基づき、送信インピーダンスを可変するインピーダンス可変回路（１０９、２１２）とを設けることを特徴とする請求項１記載のテレビドアホン装置。
【請求項７】
前記モニタ付親機及び前記カメラ付子機はそれぞれ、前記伝送速度可変回路で可変された前記伝送速度に応じて画像／音声信号の圧縮率及び（又は）フレームレートを可変する圧縮率・フレームレート可変回路（１１４、２１６）を設けることを特徴とする請求項１記載のテレビドアホン装置。
【発明の詳細な説明】
【技術分野】
【０００１】
本発明はテレビドアホン装置に係り、特に伝送路（ケーブル）における電気信号の伝送速度を制御することで、伝送する電気信号の減衰量が低くなる周波数を利用することができるテレビドアホン装置に関する。
【背景技術】
【０００２】
従来から、この種のテレビドアホン装置としては図２に示すようなテレビドアホン装置が知れている（例えば、特許文献１参照）。
【０００３】
このテレビドアホン装置は、カメラ５０１を有する玄関子機５０と、カメラ５０１で撮像された映像の映像信号をモニタするモニタ６０１を有する親機６０とを伝送路Ｌ１０で接続している。玄関子機５０は、カメラ５０１と共に、子機マイク５０２、子機スピーカ５０３及び呼出ボタン５０４を備え、カメラ５０１はＦＭ変調回路５０５を介して子機インターフェース（以下、「子機ＩＦ」という。）５０６に接続され、子機マイク５０２はマイクアンプ５０７を介して子機ＩＦ５０６に接続され、子機スピーカ５０３はスピーカアンプ５０８を介して子機ＩＦ５０６に接続され、呼出ボタン５０４は子機ＩＦ５０６に接続されている。また、親機６０は、モニタ６０１と共に、親機スピーカ６０２、親機マイク６０３及びＣＰＵ６０４を備え、モニタ６０１はＦＭ復調回路６０５を介して親機インターフェース（以下、「親機ＩＦ」という。）６０６に接続され、親機マイク６０３はマイクアンプ６０７を介して親機ＩＦ６０６に接続され、親機スピーカ６０２はスピーカアンプ６０８を介して親機ＩＦ６０６に接続され、ＣＰＵ６０４は親機ＩＦ６０６に接続されている。子機ＩＦ５０６と親機ＩＦ６０６とは伝送路Ｌ１０に接続されている。
【０００４】
このようなテレビドアホン装置において、来訪者により、玄関子機５０の呼出ボタン５０４から呼び出しがあった場合、呼出信号は子機Ｉ／Ｆ５０６→伝送路Ｌ１０→親機Ｉ／Ｆ６０６を介してＣＰＵ６０４に送出される。ＣＰＵ６０４は呼出信号を検出すると、呼出音信号を親機ＩＦ６０６を介してスピーカアンプ６０８に送出するので、親機スピーカ６０２から呼出音が出力される。また、この呼出音を認識した居住者が通話ボタン（図示せず）を操作すると、玄関子機５０と親機６０との間で通話路が形成される。また、ＣＰＵ６０４は呼出信号を検出すると、玄関子機５０のカメラ５０１を駆動するための電源（図示せず）を、親機Ｉ／Ｆ６０６→伝送路Ｌ１０を介してカメラ５０１に供給する。このカメラ５０１で撮像された映像の映像信号は、ＦＭ変調回路５０５→子機ＩＦ５０６→伝送路Ｌ１０→親機ＩＦ６０６を介してＦＭ復調回路６０５に送出されるので、親機６０のモニタ６０１にカメラ５０１で撮像した映像が映し出される。
【０００５】
このような状態で、来訪者が玄関子機５０の子機マイク５０２で居住者に話しかけると、子機マイク５０２からの音声信号はマイクアンプ５０７で増幅され、子機Ｉ／Ｆ５０６→伝送路Ｌ１０→親機Ｉ／Ｆ６０６を介して親機スピーカアンプ６０８に送出するので、親機スピーカ６０２から来訪者の音声が出力される。また、居住者が応答するために、親機６０の親機マイク６０３で居住者に話しかけると、親機マイク６０３からの音声信号はマイクアンプ６０７で増幅され、親機Ｉ／Ｆ６０６→伝送路Ｌ１０→子機Ｉ／Ｆ５０６を介して子機スピーカアンプ５０８に送出されるので、親機スピーカ６０２から来訪者の音声が出力される。したがって、来訪者と居住者の会話が成立する。
【０００６】
【特許文献１】特開平８−１６３５４９号公報
【発明の開示】
【発明が解決しようとする課題】
【０００７】
しかしながら、背景技術に記載したテレビドアホン装置では、映像信号の搬送波に高周波を使用し、音声信号にハイブリット方式を利用したベースバンド信号を使用したアナログ多重信号によってシステムを構築しているので、使用する伝送路の減衰特性が大きくなる特性の場合においては、映像信号が乱れたり、映像がモニタに映らなくなったりすることがある。このような不具合が生じると、システムとして動作しなくなることが頻繁に発生することになるので、伝送路の線種を予め指定したり、線路を張り直したりする必要があった。
【０００８】
本発明は、音声信号と映像信号をデジタル信号とし、伝送路の状態を判別する回路を設け、伝送路における減衰量が低い周波数を利用できるように伝送速度を可変にすることで、伝送路の線種を予め指定したり、線路を張り直したりしなくとも、テレビドアホンの機能を保つことができるテレビドアホン装置を提供することを目的とする。
【課題を解決するための手段】
【０００９】
上述の目的を達成する本発明の第１の態様であるテレビドアホン装置は、伝送路で接続され映像、音声、制御信号等のデータを送受するモニタ付親機及びカメラ付子機を備え、モニタ付親機は、モニタ付親機の電源がＯＮしたことを検出するモニタ付親機電源起動検出回路と、モニタ付親機電源起動検出回路で電源がＯＮしたことを検出したとき擬似ランダムパターン信号を発生するための擬似ランダムパターン発生回路と、擬似ランダムパターン信号を伝送路に伝送させるＣＰＵとを備え、カメラ付子機は、カメラ付子機の電源がＯＮしたことを検出するカメラ付子機電源起動検出回路と、カメラ付子機電源起動検出回路で電源がＯＮしたことを検出したとき擬似ランダムパターン信号を受信して伝送路上で誤ったビットをカウントするビットエラーカウンタと、ビットエラーカウンタによってカウントされたビットの誤り率に応じて伝送路の伝送速度を可変制御するＣＰＵと、カメラ付子機のＣＰＵの制御により伝送路の伝送速度を可変する伝送速度可変回路と、受信した擬似ランダムパターン信号をモニタ付親機にループバックするループバック回路とを備え、さらに、モニタ付親機は、カメラ付子機からループバックされてきた擬似ランダムパターン信号により伝送路上で誤ったビットをカウントするビットエラーカウンタと、モニタ付親機のビットエラーカウンタによってカウントされたビットの誤り率に応じて伝送路の伝送速度を可変制御するモニタ付親機のＣＰＵの制御により、伝送路の伝送速度を可変する伝送速度可変回路とを設けるものである。
【００１０】
このような第１の態様によるテレビドアホン装置は、テレビドアホン装置の電源起動時に、モニタ付親機はモニタ付親機電源起動検出回路が電源がＯＮしたことを検出して、擬似ランダムパターン発生回路から擬似ランダムパターン信号を伝送路に伝送させる。また、カメラ付子機はカメラ付子機電源起動検出回路により電源がＯＮしたことを検出して、ビットエラーカウンタで伝送路上を伝送された擬似ランダムパターン信号を受信して伝送路上で誤ったビットをカウントし、その情報をカメラ付子機のＣＰＵに送出する。カメラ付子機のＣＰＵは、ビットエラーカウンタによってカウントされたビットの誤り率に応じて伝送路の伝送速度を可変制御するために、カメラ付子機の伝送速度可変回路で伝送路の伝送速度を可変することができる。また、カメラ付子機にループバック回路を設けることによって、モニタ付親機側で伝送路上で誤ったビットをカウントすることができる。即ち、モニタ付親機はモニタ付親機電源起動検出回路により電源がＯＮしたことを検出して、モニタ付親機のビットエラーカウンタで伝送路上をループバックされてきた擬似ランダムパターン信号を受信して伝送路上で誤ったビットをカウントし、その情報をモニタ付親機のＣＰＵに送出する。モニタ付親機のＣＰＵは、モニタ付親機のビットエラーカウンタによってカウントされたビットの誤り率に応じて伝送路の伝送速度を可変制御するために、モニタ付親機の伝送速度可変回路で伝送路の伝送速度を可変することができる。
【００１１】
本発明の第２の態様は第１の態様であるテレビドアホン装置において、モニタ付親機及びカメラ付子機はそれぞれ、送信データが伝送路上で減衰される高周波成分を補償するプリエンファシス回路を設けるものである。このような第２の態様によるテレビドアホン装置によれば、モニタ付親機及びカメラ付子機はそれぞれ、プリエンファシス回路を介して送信データを伝送路上に伝送すれば、送信側で信号波の高周波成分の振幅を強調することでＳＮ比を改善することができる。
【００１２】
本発明の第３の態様は第１の態様であるテレビドアホン装置において、モニタ付親機及びカメラ付子機はそれぞれ、受信データが伝送路上で減衰される高周波成分を補償する等化器を設けるものである。このような第３の態様によるテレビドアホン装置によれば、モニタ付親機及びカメラ付子機はそれぞれ、等化器を介して伝送路上を伝送された受信データを受信すれば、受信側で信号波の高周波成分の振幅を強調することでＳＮ比を改善することができる。
【００１３】
本発明の第４の態様は第１の態様乃至第３の態様の何れかであるテレビドアホン装置において、カメラ付子機に、受信したデータのジッタを計測するジッタ計測回路を設け、受信データのジッタ量に応じてＣＰＵは、伝送速度可変回路、プリエンファシス回路及び（又は）等化器の送信レベルを制御するものである。このような第４の態様によるテレビドアホン装置によれば、ジッタ計測回路で計測した受信データのジッタ量に応じてカメラ付子機のＣＰＵが、伝送速度可変回路、プリエンファシス回路及び（又は）等化器の送信レベルを制御することができる。  
【００１４】
本発明の第５の態様は第１の態様であるテレビドアホン装置において、カメラ付子機に、受信データの強度を測定するキャリアセンス回路、及びキャリアセンス回路の測定結果に応じてカメラ付子機のＣＰＵの制御により送信データの強弱を可変するとともに、キャリアセンス回路の測定結果をモニタ付親機に通知するトランシーバを設け、モニタ付親機に、通知されたキャリアセンス回路の測定結果に応じてモニタ付親機のＣＰＵの制御により送信データの強弱を可変するトランシーバを設けるものである。このような第５の態様によるテレビドアホン装置によれば、カメラ付子機は、キャリアセンス回路の測定結果に基づきＣＰＵが受信データの受信レベルより伝送距離を推測してトランシーバによる送信データの送信レベルの強弱を可変し、モニタ付親機は、カメラ付子機のトランシーバから伝送されてきたキャリアセンス回路の測定結果に基づきＣＰＵが受信データの受信レベルより伝送距離を推測してトランシーバによる送信データの送信レベルの強弱を可変することができる。したがって、安定した信号伝送ができるようになる。
【００１５】
本発明の第６の態様は第１の態様であるテレビドアホン装置において、モニタ付親機及びカメラ付子機はそれぞれ、伝送路のミスマッチによる反射して戻ってきた信号と送信した信号を比較するＶＳＷＲ測定回路と、ＶＳＷＲ測定回路での比較結果に基づき、送信インピーダンスを可変するインピーダンス可変回路とを設けるものである。このような第６の態様によるテレビドアホン装置によれば、モニタ付親機やカメラ付子機は、伝送路のミスマッチによる反射して戻ってきた信号と送信した信号をＶＳＷＲ測定回路で比較し、その比較結果に基づきインピーダンス可変回路で送信インピーダンスを可変して送信レベルを制御することができる。したがって、伝送路の状態に応じた送信レベルにすることができる。
【００１６】
本発明の第７の態様は第１の態様であるテレビドアホン装置において、モニタ付親機及びカメラ付子機はそれぞれ、伝送速度可変回路で可変された伝送速度に応じて画像／音声信号の圧縮率及び（又は）フレームレートを可変する圧縮率・フレームレート可変回路を設けるものである。このような第７の態様によるテレビドアホン装置によれば、ビットの誤り率が予め定められた数値内にある場合は、テレビドアホン装置の動作初期化へ遷移し、モニタ付親機及びカメラ付子機の各圧縮率・フレームレート可変回路で画像・音声データの圧縮率及び（又は）フレームレートを可変する。これにより、安定した伝送路上で信号の送受信ができる。
【発明の効果】
【００１７】
本発明によれば、伝送路における電気信号の伝送速度を制御することができるので、伝送する電気信号の減衰量が低くなる周波数を利用することができるようになる。また、本発明によれば、伝送路の状態に応じて伝送路の線種を予め指定したり、線路を張り直したりしなくとも、テレビドアホンの映像機能や音声機能の低下を防ぐことができる。
【発明を実施するための最良の形態】
【００１８】
以下、本発明を実施するための最良の実施形態について、図面を参照して説明する。参照する図１は、本発明のテレビドアホン装置を示すブロック図である。
【００１９】
本発明の好ましい実施の形態例であるテレビドアホン装置は図１に示すように、モニタ、マイク、スピーカ及び通話ボタンを有するモニタ付親機１０と、カメラ、マイク、スピーカ及び呼出ボタンを有するカメラ付子機２０とを伝送路Ｌで接続している。なお、モニタ付親機１０はモニタ、マイク、スピーカ及び通話ボタンが、カメラ付子機２０はカメラ、マイク、スピーカ及び呼出ボタンがそれぞれ便宜上図示していない。
【００２０】
モニタ付親機１０は、モニタ付親機電源起動検出回路１０１、擬似ランダムパターン発生回路１０２、ＣＰＵ１０３、伝送速度可変回路１０４、ビットエラーカウンタ１０５、プリエンファシス回路１０６、等化器１０７、トランシーバ１０８、インピーダンス可変回路１０９、パルストランス１１０、受信バッファ回路１１１、送信バッファ回路１１２、ＶＳＷＲ（Voltage Standing Wave Ratio）測定回路１１３、圧縮率・フレームレート可変回路１１４及び画像・音声データ入力回路１１５を備えている。伝送速度可変回路１０４は、基準クロック発生回路１０４ａ及びクロック分周発生回路１０４ｂで構成されている。
【００２１】
このモニタ付親機１０は、伝送路Ｌに接続されるパルストランス１１０にインピーダンス可変回路１０９が接続され、このインピーダンス可変回路１０９にトランシーバ１０８が接続されている。トランシーバ１０８の受信用端子は受信バッファ回路１１１に接続され、受信バッファ回路１１１はＣＰＵ１０３に接続されている。受信バッファ回路１１１とトランシーバ１０８の受信用端子との接続点と、受信バッファ回路１１１との間には等化器１０７が接続されている。また、トランシーバ１０８の送信用端子は送信バッファ回路１１２に接続され、送信バッファ回路１１２はＣＰＵ１０３に接続されている。この接続ラインとは別にトランシーバ１０８の送信用端子と送信バッファ回路１１２との間にはプリエンファシス回路１０６が接続されている。また、送信バッファ回路１１２には、伝送速度可変回路１０４のクロック分周発生回路１０４ｂが接続され、クロック分周発生回路１０４ｂには基準クロック発生回路１０４ａとＣＰＵ１０３が接続されている。このＣＰＵ１０３には、モニタ付親機電源起動検出回路１０１、擬似ランダムパターン発生回路１０２、ビットエラーカウンタ１０５及び圧縮率・フレームレート可変回路１１４が接続され、圧縮率・フレームレート可変回路１１４には画像・音声データ入力回路１１５が接続されている。この画像・音声データ入力回路１１５には、モニタ付親機１０が有するモニタ、マイク及びスピーカが接続されている。なお、トランシーバ１０８の送信用制御端子及び圧縮率・フレームレート可変回路１１４の制御端子にはそれぞれＣＰＵ１０３の制御端子が接続されている。また、ＣＰＵ１０３にはＶＳＷＲ測定回路１１３が接続され、ＶＳＷＲ測定回路１１３は、受信バッファ回路１１１と等化器１０７の接続点とトランシーバ１０８の受信用端子との接続点、トランシーバ１０８の送信用端子と送信バッファ回路１１２の接続点、及びインピーダンス可変回路１０９の可変用端子にそれぞれ接続されている。
【００２２】
カメラ付子機２０は、カメラ付親機電源起動検出回路２０１、ＣＰＵ２０２、伝送速度可変回路２０３、ループバック回路２０４、ビットエラーカウンタ２０５、プリエンファシス回路２０６、等化器２０７、ジッタ計測回路２０８、キャリアセンス回路２０９、Ａ／Ｄ変換回路２１０、トランシーバ２１１、インピーダンス可変回路２１２、パルストランス２１３、受信バッファ回路２１４、送信バッファ回路２１５、圧縮率・フレームレート可変回路２１６、ＶＳＷＲ測定回路２１７及び画像・音声データ入力回路２１８を備えている。伝送速度可変回路２０３は、基準クロック発生回路２０３ａ及びクロック分周発生回路２０３ｂで構成されている。
【００２３】
このカメラ付子機２０は、伝送路Ｌに接続されるパルストランス２１３にインピーダンス可変回路２１２が接続され、このインピーダンス可変回路２１２にトランシーバ２１１が接続されている。トランシーバ２１１の受信用端子は受信バッファ回路２１４に接続され、受信バッファ回路２１４はＣＰＵ２０２に接続されている。受信バッファ回路２１４とトランシーバ２１１の受信用端子との接続点と、受信バッファ回路２１４との間には等化器２０７が接続されている。また、トランシーバ２１１の送信用端子は送信バッファ回路２１５に接続され、送信バッファ回路２１５はＣＰＵ２０２に接続されている。この接続ラインとは別にトランシーバ２１１の送信用端子と送信バッファ回路２１５との間にはプリエンファシス回路２０６が接続されている。また、送信バッファ回路２１５には、伝送速度可変回路２０３のクロック分周発生回路２０３ｂが接続され、クロック分周発生回路２０３ｂには基準クロック発生回路２０３ａとＣＰＵ２０２が接続されている。このＣＰＵ２０２には、カメラ付子機電源起動検出回路２０１、ビットエラーカウンタ２０５及び圧縮率・フレームレート可変回路２１６が接続され、圧縮率・フレームレート可変回路２１６には画像・音声データ入力回路２１８が接続されている。なお、トランシーバ２１１の送信回路と、圧縮率・フレームレート可変回路２１６にはそれぞれＣＰＵ２０２の制御端子が接続されている。また、ＣＰＵ２０２はインピーダンス可変回路２１２の可変用端子に接続されている。さらに、等化器２０７と受信バッファ回路２１４との接続点と、トランシーバ２１１の受信用接続端子との間にはキャリアセンス回路２０９が接続され、キャリアセンス回路２０９はＡ／Ｄ変換回路２１０が接続され、Ａ／Ｄ変換回路２１０はＣＰＵ２０２に接続されている。また、キャリアセンス回路２０９と等化器２０７との接続点と、トランシーバ２１１の受信用接続端子との間にはジッタ計測回路２０８が接続され、ジッタ計測回路２０８はＣＰＵ２０２に接続されている。また、トランシーバ２１１の送信用端子と送信バッファ回路２１５との接続点と、トランシーバ２１１の受信用端子と受信バッファ回路２１４との接続点の間にはループバック回路２０４が接続されている。また、ジッタ計測回路２０８とトランシーバ２１１の受信用端子との接続点と、トランシーバ２１１の送信用端子と送信バッファ回路２１５との接続点には、それぞれＶＳＷＲ測定回路２１７が接続されている。このＶＳＷＲ測定回路２１７にはＣＰＵ２０２の制御端子が接続されている。
【００２４】
このように構成されたテレビドアホン装置の動作について、以下説明する。
【００２５】
テレビドアホン装置の電源を起動すると、モニタ付親機１０では、モニタ付親機電源起動検出回路１０１で電源がＯＮしたことを検出し、擬似ランダムパターン発生回路１０２はモニタ付親機電源起動検出回路１０１で電源がＯＮしたことを検出したとき擬似ランダムパターン信号を発生させ、ＣＰＵ１０３が伝送路Ｌに伝送させる。また、カメラ付子機２０では、カメラ付子機電源起動検出回路２０１で電源がＯＮしたことを検出して、ビットエラーカウンタ２０５で伝送路Ｌ上を伝送された擬似ランダムパターン信号を受信して伝送路Ｌ上で誤ったビットをカウントし、その情報をＣＰＵ２０２に送出する。
【００２６】
カメラ付子機２０のＣＰＵ２０２は、ビットエラーカウンタ２０５によってカウントされたビットの誤り率に応じて伝送路Ｌの伝送速度を可変制御するために、伝送速度可変回路２０３で伝送路Ｌの伝送速度を可変することができる。具体的には、ビットの誤り率が予め定められた数値内にない場合には、カメラ付子機２０のＣＰＵ２０２がモニタ付親機１０に伝送路状態が悪いことを伝える情報信号を送信する。モニタ付親機１０のＣＰＵ１０３がその情報信号を受信すると、伝送速度可変回路１０４にて伝送速度を遅くするように可変させ、再びビットの誤り率の測定を行う。また、カメラ付子機側も伝送路状態が悪い場合には予め決められた法則にしたがって、伝送速度可変回路１０４にて伝送速度を可変させ、再び、ビットの誤り率測定を行う。ビットの誤り率が予め定められた数値内にある場合は、テレビドアホン装置の動作初期化へ遷移し、モニタ付親機１０及びカメラ付子機２０の各圧縮率・フレームレート可変回路１１４、２１６で画像・音声データの圧縮率やフレームレートを可変する。これにより、安定した伝送路上で信号の送受信ができる。
なお、ビットの誤り率が予め定められた数値内にない場合には、同様の動作を繰り返し行う。
【００２７】
このように、伝送路Ｌにおける電気信号の伝送速度を制御することで、伝送する電気信号の減衰量が低くなる周波数を利用することができる。
【００２８】
また、モニタ付親機１０でも伝送路Ｌにおける電気信号の伝送速度を制御することができる。この場合、モニタ付親機１０は、モニタ付親機電源起動検出回路１０１で電源がＯＮしたことを検出して、擬似ランダムパターン発生回路１０２で擬似ランダムパターンを発生させるが、カメラ付子機２０は受信した擬似ランダムパターン信号をループバック回路２０４でモニタ付親機１０にループバックする。モニタ付親機１０は、ビットエラーカウンタ１０５で伝送路上をループバックされてきた擬似ランダムパターン信号を受信して伝送路上で誤ったビットをカウントし、その情報をＣＰＵ１０３に送出する。モニタ付親機１０のＣＰＵ１０３は、ビットエラーカウンタ１０５によってカウントされたビットの誤り率に応じて伝送路Ｌの伝送速度を可変制御するために、伝送速度可変回路１０４で伝送路Ｌの伝送速度を可変することができる。
【００２９】
なお、送信データが伝送路上００で減衰される高周波成分を補償するプリエンファシス回路１０６、２０６を介して送信データを伝送路上に伝送すれば、送信側で信号波の高周波成分の振幅を強調できるので、ＳＮ比を改善することができる。また、受信データが伝送路上で減衰される高周波成分を補償する等化器１０７、２０７を介して伝送路上を伝送された受信データを受信すれば、受信側で信号波の高周波成分の振幅を強調できるので、ＳＮ比を改善することができる。
【００３０】
また、カメラ付子機２０が有するジッタ計測回路２０８で受信したデータのジッタを計測して、受信データのジッタ量に応じてカメラ付子機２０のＣＰＵ２０２が、伝送速度可変回路２０３、プリエンファシス回路２０６及び等化器２０７の送信レベルを制御することができる。なお、送信レベルを制御する機器は、伝送速度可変回路２０３、プリエンファシス回路２０６及び等化器２０７を選択的に選んでもよい。
【００３１】
また、カメラ付子機２０は、キャリアセンス回路２０９の測定結果に基づきＣＰＵ２０２が受信データの受信レベルより伝送距離を推測してトランシーバ２１１による送信データの送信レベルの強弱を可変し、モニタ付親機１０は、カメラ付子機２０のトランシーバ２１１から伝送されてきたキャリアセンス回路２０９の測定結果に基づきＣＰＵ１０３が受信データの受信レベルより伝送距離を推測してトランシーバ１０８による送信データの送信レベルの強弱を可変することができる。したがって、安定した信号伝送ができるようになる。
【００３２】
また、モニタ付親機１０やカメラ付子機２０は、伝送路Ｌのミスマッチによる反射して戻ってきた信号と送信した信号をＶＳＷＲ測定回路１１３、２１７で比較し、その比較結果に基づきインピーダンス可変回路１０９、２１２で送信インピーダンスを可変して送信レベルを制御することができる。したがって、伝送路Ｌの状態に応じた送信レベルにすることができる。
【００３３】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００３４】
【図１】本発明のテレビドアホン装置における好ましい実施の形態例を示す部分ブロック図である。
【図２】従来のテレビドアホン装置を示すブロック図である。
【符号の説明】
【００３５】
モニタ付親機……１０
モニタ付親機電源起動検出回路……１０１
擬似ランダムパターン発生回路……１０２
ＣＰＵ……１０３
伝送速度可変回路……１０４
ビットエラーカウンタ……１０５
プリエンファシス回路……１０６
等化器……１０７
トランシーバ……１０８
インピーダンス可変回路……１０９
ＶＳＷＲ測定回路……１１３
圧縮率・フレームレート可変回路……１１４
カメラ付子機……２０
カメラ付子機電源起動検出回路……２０１
ＣＰＵ……２０２
伝送速度可変回路……２０３
ループバック回路……２０４
ビットエラーカウンタ……２０５
プリエンファシス回路……２０６
等化器……２０７
ジッタ回路……２０８
キャリアセンス回路……２０９
トランシーバ……２１１
インピーダンス可変回路……２１２
圧縮率・フレームレート可変回路……２１６
ＶＳＷＲ測定回路……２１７
伝送路……Ｌ
【図１】
0004685555.tif 000002
【図２】
0004685555.tif 000003